(57)【要約】【課題】排ガス中の空燃比が所定値から乖離するのを抑制することが可能なキャニスタパージ制御装置を提供する。【解決手段】パージガス通路１０のエンジン側経路１０ａに応じた燃料噴射量補正係数（低減量）の応答遅れとコンプレッサ側経路１０ｂに応じた燃料噴射量補正係数（低減量）の応答遅れが異なる場合に、エンジンコントロールユニット１３で推定検出されたインテークマニホールド内圧と圧力センサ２６で測定検出されたコンプレッサ前圧に基づいて燃料噴射量補正係数が誤って選択されると、燃料噴射量の補正前後に空燃比センサ２７で検出された排ガス中の空燃比がリーン側又はリッチ側に所定量以上異なるので、それぞれの場合に応じて、燃料噴射量補正係数の選択に用いられる上記２つのエンジン吸気系２内の圧力を、燃料噴射量補正係数が選択されないように補正学習する。【選択図】図３
2020153288.tif 000002
【特許請求の範囲】
【請求項１】
ターボチャージャを備えたエンジンと、前記エンジンの燃料を貯留する燃料タンクと、前記燃料タンク内の燃料蒸発ガスを吸着するキャニスタと、エンジン吸気系及び前記キャニスタを連通するパージガス通路と、前記パージガス通路を開閉するパージ制御弁と、前記パージ制御弁を開弁制御する制御手段とを備え、前記パージガス通路は、前記ターボチャージャのコンプレッサよりも吸気下流側で前記エンジン吸気系及び前記キャニスタを連通するエンジン側経路と、前記コンプレッサよりも吸気上流側で前記エンジン吸気系及び前記キャニスタを連通するコンプレッサ側経路とを有するキャニスタパージ制御装置において、
前記エンジン吸気系又は前記エンジンの燃焼室に前記燃料を噴射する燃料噴射装置と、
前記エンジンの燃焼室からの排ガスの空燃比を検出する空燃比センサと、
前記コンプレッサよりも吸気下流側で前記エンジン吸気系内の圧力を測定又は推定して検出するエンジン側吸気圧力検出手段と、
前記コンプレッサよりも吸気上流側で前記エンジン吸気系内の圧力を測定又は推定して検出するコンプレッサ側吸気圧力検出手段とを備え、
前記制御手段は、前記エンジン側吸気圧力検出手段で検出された圧力が前記コンプレッサ側吸気圧力検出手段で検出された圧力よりも小さい場合に前記エンジン側経路に応じた応答遅れを伴う燃料噴射量低減量を選択し、前記コンプレッサ側吸気圧力検出手段で検出された圧力が前記エンジン側吸気圧力検出手段で検出された圧力よりも小さい場合に前記コンプレッサ側経路に応じた応答遅れを伴う燃料噴射量低減量を選択し、それぞれ選択された前記燃料噴射量低減量で前記燃料噴射装置から噴射する燃料噴射量を補正する燃料噴射量補正手段と、
前記燃料噴射量低減量による前記燃料噴射装置からの燃料噴射量の補正の前及び後の少なくとも一方にて前記空燃比センサで検出された空燃比のリーン側又はリッチ側への変化量が所定量以上である場合に前記エンジン側吸気圧力検出手段で検出された圧力及び前記コンプレッサ側吸気圧力検出手段で検出された圧力の何れか一方を補正学習する吸気圧力補正学習手段とを備えたことを特徴とするキャニスタパージ制御装置。
【請求項２】
前記吸気圧力補正学習手段は、
前記エンジン側経路に応じた応答遅れを伴う燃料噴射量低減量が選択され且つ該燃料噴射量低減量による燃料噴射量の補正後の前記空燃比のリーン側への変化量が所定量以上である場合に前記エンジン側吸気圧力検出手段で検出される圧力が所定値だけ大きくなるように又は前記コンプレッサ側吸気圧力検出手段で検出される圧力が所定値だけ小さくなるように補正学習を行うエンジン側吸気圧力補正学習手段を備えたことを特徴とする請求項１に記載のキャニスタパージ制御装置。
【請求項３】
前記吸気圧力補正学習手段は、
前記コンプレッサ側経路に応じた応答遅れを伴う燃料噴射量低減量が選択され且つ該燃料噴射量低減量による燃料噴射量の補正前の前記空燃比のリッチ側への変化量が所定量以上である場合に前記コンプレッサ側吸気圧力検出手段で検出される圧力が所定値だけ大きくなるように又は前記エンジン側吸気圧力検出手段で検出される圧力が所定値だけ小さくなるように補正学習を行うコンプレッサ側吸気圧力補正学習手段を備えたことを特徴とする請求項１又は２に記載のキャニスタパージ制御装置。
【請求項４】
前記制御手段は、
前記エンジン側吸気圧力検出手段で検出された圧力が前記コンプレッサ側吸気圧力検出手段で検出された圧力よりも小さい場合に前記エンジン側経路に応じた弁開度を選択し、前記コンプレッサ側吸気圧力検出手段で検出された圧力が前記エンジン側吸気圧力検出手段で検出された圧力よりも小さい場合に前記コンプレッサ側経路に応じた弁開度を選択し、それぞれ選択された前記弁開度で前記パージ制御弁を開弁制御する弁開度設定手段と、
前記燃料噴射量低減量を伴う前記燃料噴射装置からの燃料噴射量の補正前後に前記空燃比センサで検出された空燃比のリーン側又はリッチ側への変化量が所定量以上である場合に前記弁開度設定手段で選択された前記経路の弁開度と異なる前記経路の弁開度に変更し且つ該変更された弁開度で前記パージ制御弁を開弁制御する弁開度変更手段とを備えたことを特徴とする請求項１乃至３の何れか１項に記載のキャニスタパージ制御装置。
【発明の詳細な説明】
【技術分野】
【０００１】
本発明は、キャニスタパージ制御装置、特に、ターボチャージャを備えたエンジンにキャニスタで吸着された燃料蒸発ガスをパージガスとして供給するキャニスタパージ制御装置に関する。
【背景技術】
【０００２】
エンジンを搭載する車両では、主にガソリンやアルコールなどの揮発性燃料が用いられる。これら揮発性燃料は、大気中は勿論、燃料タンク内でも気化（蒸発）する。こうした燃料蒸発ガス（以下、エバポとも称する）の大気流出抑制のために、エバポを吸着するキャニスタ（チャコールキャニスタ）が車両に搭載されている。このキャニスタは、エバポを一時的に吸着するものであり、キャニスタに吸着した燃料蒸発ガスは、例えばエンジンの負圧を利用してエンジン吸気系にパージガスとして供給され、更にエンジンの燃焼室に供給されて燃焼に供される。なお、このパージガスのエンジン吸気系への供給に伴ってキャニスタに外気を導入するため、キャニスタのドレンポートは大気開放されている。
【０００３】
このキャニスタとエンジン吸気系を連通してパージガスを供給する通路をパージガス通路とすると、このパージガス通路は、通常、スロットルバルブよりも吸気下流側、具体的にはインテークマニホールド又はその近傍に接続され、その接続部分からエンジン吸気系にパージガスが供給（吸引）される。パージガス通路には、一般に電磁弁で構成されてパージガス通路を開閉するパージ制御弁が設けられ、このパージ制御弁を開弁制御してパージガス流量を制御する。パージ制御弁の開弁制御は、例えばキャニスタから生じるパージガス濃度やエンジン吸気系の負圧状態から目標とするパージガス流量が供給される弁開度が達成されるように行われる。なお、キャニスタからのパージガス濃度は、例えば排ガス中の空燃比をフィードバックして補正学習している。
【０００４】
一方、ターボチャージャを備えたエンジンでは、排ガスでタービンが回転されてコンプレッサが新気を過給すると、インテークマニホールド内が正圧状態となり、パージガスが吸引されない。そこで、例えば下記特許文献１に記載されるように、上記パージガス通路を分岐してターボチャージャのコンプレッサよりも吸気上流側にも接続し、コンプレッサが作動しているときのコンプレッサよりも吸気上流側の負圧でパージガスがコンプレッサの吸気上流側に吸引（供給）されるようにする。ここでは、コンプレッサよりも吸気下流側、具体的には上記インテークマニホールドに接続されたパージガス通路をエンジン側経路、コンプレッサよりも吸気上流側に接続されたパージガス通路をコンプレッサ側経路ともいう。また、一般に、パージガス供給中は、燃料噴射装置から噴射する燃料噴射量を所定の割合で減少（補正）制御する。
【先行技術文献】
【特許文献】
【０００５】
【特許文献１】特開２０１７−１７２４７７号公報
【発明の概要】
【発明が解決しようとする課題】
【０００６】
ところで、パージ制御弁を開弁制御してパージガスをエンジン吸気系に供給するキャニスタパージ制御の開始から実際にパージガスがエンジンの燃焼室に到達して燃焼に供されるまでには、パージガス供給経路に応じた応答遅れがある。したがって、排ガス中の空燃比を所定値に制御するためには、この応答遅れを見込んで燃料噴射量を低減（補正）制御するのが望ましい。上記エンジン側経路とコンプレッサ側経路では、構成上、パージガスの供給経路長が異なり、パージガスが燃焼室に到達するまでの時間、すなわち応答遅れも異なる。したがって、例えば燃料噴射量の減少割合を補正係数で補正する場合には、パージガスがエンジン側経路を通って供給される場合とコンプレッサ側経路を通って供給される場合とで、補正係数の応答遅れを変える必要がある。
【０００７】
パージガスがエンジン側経路を通って供給されるのか、コンプレッサ側経路を通って供給されるのかは、それぞれが接続されている部分のエンジン吸気系内部の圧力を比較することで可能となる。すなわち、パージガスは、何れか圧力の小さい経路を通ると判定できる。エンジン吸気系内部の圧力は、圧力センサで測定したり、或いは吸気流量から推定したりして検出することができる。したがって、検出されたエンジン吸気系内の圧力に基づいて、エンジン側経路に応じた応答遅れを伴う燃料噴射量低減量とコンプレッサ側経路に応じた応答遅れを伴う燃料噴射量低減量を選択し、その選択された燃料噴射量低減量を、例えば燃料噴射量の補正係数として用いて燃料噴射量の補正制御を行う。
【０００８】
しかしながら、エンジン吸気系内の圧力を推定する場合には推定誤差が生じる。また、エンジン吸気系内の圧力を測定する場合にも、例えばセンサの個体差によって測定誤差が生じる。その結果、応答遅れの異なる燃料噴射量補正係数（低減量）が誤って選択され、排ガス中の空燃比が所定値から乖離するおそれがある。また、例えば、パージガスがエンジン側経路を通る場合とコンプレッサ側経路を通る場合ではパージガスの流量が異なることから、この異なるパージガス流量に応じて、すなわちパージガスの供給経路に応じてパージ制御弁の弁開度が異なるように開弁制御する場合には、パージガス経路の誤判定によってパージ制御弁の弁開度も誤って制御され、その結果、排ガス中の空燃比が所定値からますます乖離してしまうおそれもある。
【０００９】
本発明は、上記課題に鑑みてなされたものであり、その目的は、排ガス中の空燃比が所定値から乖離するのを抑制することが可能なキャニスタパージ制御装置を提供することにある。
【課題を解決するための手段】
【００１０】
上記目的を達成するため請求項１に記載のキャニスタパージ制御装置は、
ターボチャージャを備えたエンジンと、前記エンジンの燃料を貯留する燃料タンクと、前記燃料タンク内の燃料蒸発ガスを吸着するキャニスタと、エンジン吸気系及び前記キャニスタを連通するパージガス通路と、前記パージガス通路を開閉するパージ制御弁と、前記パージ制御弁を開弁制御する制御手段とを備え、前記パージガス通路は、前記ターボチャージャのコンプレッサよりも吸気下流側で前記エンジン吸気系及び前記キャニスタを連通するエンジン側経路と、前記コンプレッサよりも吸気上流側で前記エンジン吸気系及び前記キャニスタを連通するコンプレッサ側経路とを有するキャニスタパージ制御装置において、
前記エンジン吸気系又は前記エンジンの燃焼室に前記燃料を噴射する燃料噴射装置と、前記エンジンの燃焼室からの排ガスの空燃比を検出する空燃比センサと、前記コンプレッサよりも吸気下流側で前記エンジン吸気系内の圧力を測定又は推定して検出するエンジン側吸気圧力検出手段と、前記コンプレッサよりも吸気上流側で前記エンジン吸気系内の圧力を測定又は推定して検出するコンプレッサ側吸気圧力検出手段とを備え、前記制御手段は、前記エンジン側吸気圧力検出手段で検出された圧力が前記コンプレッサ側吸気圧力検出手段で検出された圧力よりも小さい場合に前記エンジン側経路に応じた応答遅れを伴う燃料噴射量低減量を選択し、前記コンプレッサ側吸気圧力検出手段で検出された圧力が前記エンジン側吸気圧力検出手段で検出された圧力よりも小さい場合に前記コンプレッサ側経路に応じた応答遅れを伴う燃料噴射量低減量を選択し、それぞれ選択された前記燃料噴射量低減量で前記燃料噴射装置から噴射する燃料噴射量を補正する燃料噴射量補正手段と、前記燃料噴射量低減量による前記燃料噴射装置からの燃料噴射量の補正の前及び後の少なくとも一方にて前記空燃比センサで検出された空燃比のリーン側又はリッチ側への変化量が所定量以上である場合に前記エンジン側吸気圧力検出手段で検出された圧力及び前記コンプレッサ側吸気圧力検出手段で検出された圧力の何れか一方を補正学習する吸気圧力補正学習手段とを備えたことを特徴とする。
【００１１】
この構成によれば、エンジン側経路に応じた燃料噴射量低減量の応答遅れとコンプレッサ側経路に応じた燃料噴射量低減量の応答遅れが異なる場合に、コンプレッサ側吸気圧力検出手段で検出された圧力とエンジン側吸気圧力検出手段で検出された圧力に基づいて燃料噴射量低減量が誤って選択されると、燃料噴射量の補正の前後に検出された排ガス中の空燃比がリーン側又はリッチ側に所定量以上異なる。すなわち、応答遅れの大きい供給経路を通ってパージガスがエンジン吸気系に供給されているのに、応答遅れの小さな燃料噴射量低減量が選択された場合には、燃料噴射量補正後の排ガス中の空燃比がリーン側に大きく変化する。一方、応答遅れの小さい供給経路を通ってパージガスがエンジン吸気系に供給されているのに、応答遅れの大きな燃料噴射量低減量が選択された場合には、燃料噴射量補正前の排ガス中の空燃比がリッチ側に大きく変化する。そこで、それぞれの場合に応じて、燃料噴射量低減量の選択に用いられる上記エンジン吸気系内の圧力を、例えば、その燃料噴射量低減量が選択されないように補正学習することで、排ガス中の空燃比の所定値からの乖離を次第に小さくすることが可能となり、結果的には、排ガス中の空燃比が所定値から乖離するのを抑制することができる。
【００１２】
請求項２に記載のキャニスタパージ制御装置は、請求項１に記載のキャニスタパージ制御装置において、前記吸気圧力補正学習手段は、前記エンジン側経路に応じた応答遅れを伴う燃料噴射量低減量が選択され且つ該燃料噴射量低減量による燃料噴射量の補正後の前記空燃比のリーン側への変化量が所定量以上である場合に前記エンジン側吸気圧力検出手段で検出される圧力が所定値だけ大きくなるように又は前記コンプレッサ側吸気圧力検出手段で検出される圧力が所定値だけ小さくなるように補正学習を行うエンジン側吸気圧力補正学習手段を備えたことを特徴とする。
【００１３】
この構成によれば、ターボチャージャのコンプレッサよりも吸気下流側のエンジン吸気系として、例えばインテークマニホールドにパージガスを供給するエンジン側経路は、コンプレッサよりも吸気上流側にパージガスを供給するコンプレッサ側経路よりもパージガスの供給経路長が小さく、エンジン側経路に応じた燃料噴射量低減量の応答遅れも小さく設定される。このエンジン側経路に応じた燃料噴射量低減量が選択され且つその燃料噴射量低減量による燃料噴射量の補正後の空燃比がリーン側に大きく変化する場合、実際のパージガスはコンプレッサ側経路を通ってエンジン吸気系に供給されていると判断される。そこで、エンジン側経路に応じた燃料噴射量低減量が選択されないように、エンジン側吸気圧力検出手段で検出される圧力が所定値だけ大きくなるように又はコンプレッサ側吸気圧力検出手段で検出される圧力が所定値だけ小さくなるように補正学習を行うことで、排ガス中の空燃比が所定値から乖離するのを確実に抑制することができる。
【００１４】
請求項３に記載のキャニスタパージ制御装置は、請求項１又は２に記載のキャニスタパージ制御装置において、前記吸気圧力補正学習手段は、前記コンプレッサ側経路に応じた応答遅れを伴う燃料噴射量低減量が選択され且つ該燃料噴射量低減量による燃料噴射量の補正前の前記空燃比のリッチ側への変化量が所定量以上である場合に前記コンプレッサ側吸気圧力検出手段で検出される圧力が所定値だけ大きくなるように又はエンジン側吸気圧力検出手段で検出される圧力が所定値だけ小さくなるように補正学習を行うコンプレッサ側吸気圧力補正学習手段を備えたことを特徴とする。
【００１５】
この構成によれば、ターボチャージャのコンプレッサよりも吸気上流側でエンジン吸気系にパージガスを供給するコンプレッサ側経路は、コンプレッサの吸気下流側として、例えばインテークマニホールドにパージガスを供給するエンジン側経路よりもパージガスの供給経路長が大きく、コンプレッサ側経路に応じた燃料噴射量低減量の応答遅れも大きく設定される。このコンプレッサ側経路に応じた燃料噴射量低減量が選択され且つその燃料噴射量低減量による燃料噴射量の補正前の空燃比がリッチ側に大きく変化する場合、実際のパージガスはエンジン側経路を通ってエンジン吸気系に供給されていると判断される。そこで、コンプレッサ側経路に応じた燃料噴射量低減量が選択されないように、コンプレッサ側吸気圧力検出手段で検出される圧力が所定値だけ大きくなるように又はエンジン側吸気圧力検出手段で検出される圧力が所定値だけ小さくなるように補正学習を行うことで、排ガス中の空燃比が所定値から乖離するのを確実に抑制することができる。
【００１６】
請求項４に記載のキャニスタパージ制御装置は、請求項１乃至３の何れか１項に記載のキャニスタパージ制御装置において、前記制御手段は、前記エンジン側吸気圧力検出手段で検出された圧力が前記コンプレッサ側吸気圧力検出手段で検出された圧力よりも小さい場合に前記エンジン側経路に応じた弁開度を選択し、前記コンプレッサ側吸気圧力検出手段で検出された圧力が前記エンジン側吸気圧力検出手段で検出された圧力よりも小さい場合に前記コンプレッサ側経路に応じた弁開度を選択し、それぞれ選択された前記弁開度で前記パージ制御弁を開弁制御する弁開度設定手段と、前記燃料噴射量低減量を伴う前記燃料噴射装置からの燃料噴射量の補正前後に前記空燃比センサで検出された空燃比のリーン側又はリッチ側への変化量が所定量以上である場合に前記弁開度設定手段で選択された前記経路の弁開度と異なる前記経路の弁開度に変更し且つ該変更された弁開度で前記パージ制御弁を開弁制御する弁開度変更手段とを備えたことを特徴とする。
【００１７】
この構成によれば、エンジン側吸気圧力検出手段で検出された圧力及びコンプレッサ側吸気圧力検出手段で検出された圧力の何れか小さい方のエンジン側経路に応じた弁開度又はコンプレッサ側経路に応じた弁開度が選択され、その選択された弁開度が達成されるようにパージ制御弁が開弁制御される。その際、上記のように、応答遅れの異なる供給経路を通ってパージガスがエンジン吸気系に供給された場合、燃料噴射量補正前後の排ガス中の空燃比がリーン側又はリッチ側に大きく変化する。そこで、それぞれの場合に応じて、選択された経路の弁開度と異なる経路の弁回路に変更し、その変更された弁開度でパージ制御弁を開弁制御することで、排ガス中の空燃比が所定値から乖離するのを抑制することができる。
【発明の効果】
【００１８】
以上説明したように、本発明によれば、燃料噴射量低減量の選択に用いられるコンプレッサの吸気上流側と下流側の２つのエンジン吸気系内の圧力を補正学習することで、排ガス中の空燃比の所定値からの乖離を次第に小さくすることが可能となり、結果的に、排ガス中の空燃比が所定値から乖離するのを抑制することができる。
【図面の簡単な説明】
【００１９】
【図１】本発明のキャニスタパージ制御装置が適用された車両の一実施の形態を示すエンジン吸排気系統及び燃料蒸発ガス通路の概略構成図である。
【図２】図１のエンジンコントロールユニットでキャニスタパージ制御に用いられる燃料噴射量補正係数の制御マップである。
【図３】図１のエンジンコントロールユニットで実行される演算処理を示すフローチャートである。
【図４】燃料噴射量補正係数の応答遅れが誤っていた場合の燃焼（排ガス）状態の説明図である。
【図５】燃料噴射量補正係数の応答遅れが誤っていた場合の燃焼（排ガス）状態の説明図である。
【発明を実施するための形態】
【００２０】
以下に、本発明のキャニスタパージ制御装置の一実施の形態について図面を参照して詳細に説明する。図１は、この実施の形態のキャニスタパージ制御装置が適用された車両のエンジン吸排気系統及び燃料蒸発ガス通路の概略構成図である。この車両は、駆動源として、ターボチャージャ４を備えたエンジン１を搭載している。ターボチャージャ４は、周知のように、エンジン排気系３内に配設されたタービン４ｂとエンジン吸気系２内に配設されたコンプレッサ４ａを回転軸４ｃで接続して構成される。これにより、タービン４ｂが排ガスで回転されると、それに伴って回転されるコンプレッサ４ａは、エアフィルタ２１を介して吸気した新気を圧縮する。圧縮された新気は、一般に昇温するので、これをインタークーラ２２で冷却する。圧縮後に冷却された新気は、スロットルバルブ１４からインテークマニホールド７を経てエンジン１の燃焼室５に過給される。なお、排ガス流量が小さいときにタービン４ｂが回転されない、すなわちコンプレッサ４ａが新気を圧縮しない場合もあり、その場合には、自然吸気と同じく、排気行程で生じる負圧によって新気が燃焼室５に流れ込む。
【００２１】
この実施の形態では、エンジン１の吸気ポートにインジェクタ（燃料噴射装置）６が設けられており、このインジェクタ６から噴射された燃料と新気の混合気が燃焼室５で燃焼する。混合気の燃焼で生じた排ガスは、タービン４ｂを通過して触媒２３で浄化され、マフラー２４を経て排出される。燃料は、燃料タンク８から図示しない燃料ポンプでインジェクタ６に圧送される。燃料が燃焼室５内（筒内）に直接噴射されるエンジン１もある。インジェクタ６からの燃料噴射量の制御は、エンジンコントロールユニット１３で電子制御される。例えば、触媒２３の排気上流側には空燃比（Ａ／Ｆ）センサ２７が設けられており、この空燃比センサ２７で検出される空燃比が所定値となるように、インジェクタ６から噴射する燃料噴射量をフィードバック制御する。近年では、排ガス中の空燃比は、理想空燃比（ストイキオメトリック、一般にストイキ）とする傾向にある。なお、図１は模式的な構成を示しており、各構成要素の配置などは、単なる例示である。
【００２２】
エンジン１の燃料には、ガソリンなどの揮発性燃料が用いられ、燃料タンク８内に給油されて貯留される。エンジン１に供給される燃料の大部分は、例えば、図示しない燃料ポンプによって燃料タンク８から汲み出され、更にインジェクタ６からエンジン吸気系２又は燃焼室５に噴射される。一方、前述のように、揮発性燃料からなるエンジン１用の燃料は、燃料タンク８内でも気化（蒸発）しており、その燃料蒸発ガス（エバポ）をキャニスタ９で一時的に吸着し、更にキャニスタ９に吸着した燃料蒸発ガスをエンジン吸気系２にパージガスとして供給してエンジン１での燃焼に供する。ここでは、キャニスタ９とエンジン吸気系２を連通する通路をパージガス通路１０と規定する。なお、キャニスタ９は、チャージポート９ｃが燃料タンク８に接続され、パージポート９ｐがパージガス通路１０に接続され、ドレンポート９ｄは、フィルタ２５を介して大気開放されている。ちなみに、このドレンポート９ｄには、この燃料蒸発ガス通路内の漏れ（リーク）を検出するための装置を配設してもよい。
【００２３】
このパージガス通路１０には、パージガス通路１０を開閉するパージ制御弁１１が設けられている。このパージ制御弁１１は電磁弁であり、後述するように、デューティ制御によって開弁制御され、パージガスを所定の濃度（割合）でエンジン吸気系２に供給する。このパージ制御弁１１も、エンジンコントロールユニット１３によって開弁制御される。このパージガス通路１０は、パージ制御弁１１よりもパージガス供給下流側でエンジン側経路１０ａとコンプレッサ側経路１０ｂに分岐される。このうち、エンジン側経路１０ａは、スロットルバルブ１４よりも吸気下流側でエンジン吸気系２、具体的にはインテークマニホールド７に接続され、コンプレッサ側経路１０ｂは、ターボチャージャ４のコンプレッサ４ａよりも吸気上流側でエンジン吸気系２に接続される。コンプレッサ４ａは、スロットルバルブ１４よりも吸気上流側に配置されているので、エンジン側経路１０ａはコンプレッサ４ａよりも吸気下流側でエンジン吸気系２に接続されている。
【００２４】
前述のように、排気ガスでタービン４ｂが回転されてコンプレッサ４ａが新気を圧縮すると、コンプレッサ４ａよりも吸気下流側のエンジン吸気系２では、エンジン吸気系２内の圧力が正圧となり、エンジン側経路１０ａからはインテークマニホールド７内にパージガスが吸引されない。そこで、コンプレッサ４ａが作動したときに負圧状態となる、コンプレッサ４ａよりも吸気上流側にコンプレッサ側経路１０ｂを接続し、その部分からエンジン吸気系２にパージガスが吸引されるようにしている。なお、このコンプレッサ側経路１０ｂとエンジン吸気系２との接続部分には、例えば上記特許文献１に記載されるエジェクタ１２が設けられている。このエジェクタ１２は、コンプレッサ４ａよりも吸気下流側のエンジン吸気系２内の新気の一部を還流し、ベンチュリ管の原理を用いて負圧を増進する（系内圧力を小さくする）ものである。なお、エンジン側経路１０ａ及びコンプレッサ側経路１０ｂのそれぞれには、エンジン吸気系２からの新気の流入を防止する逆止弁２０が介装されている。また、エジェクタ１２は必須ではない。
【００２５】
以下、この実施の形態の車両におけるパージガスのパージ制御の概要について説明する。なお、「パージ」は、一掃、消去、浄化、追放といった意味の英語である。キャニスタ９に吸着されたエバポはスロットルバルブ１４の吸気下流側、具体的にはインテークマニホールド７内、又はコンプレッサ４ａの吸気上流側にパージガスとしてエンジン吸気系２の負圧で吸引され、更にエンジン１の燃焼室５内で燃焼される。このパージガス供給量を制御するのがキャニスタパージ制御であり、パージ制御弁１１の開弁状態をディーティ制御して行う。キャニスタパージ制御はエンジン運転中に行われる。上記パージ制御弁１１の弁開度は、パージガスが通る供給経路に応じて変更している。一例として、パージガスがコンプレッサ側経路１０ｂを通ってエンジン吸気系２に供給される場合はコンプレッサ４ａが作動しており、このコンプレッサ作動中は吸気流量が大きいので、より多くのパージガスがエンジン吸気系２に供給されるように、パージ制御弁１１の弁開度を大きく設定する。一方、パージガスがエンジン側経路１０ａを通ってエンジン吸気系２に供給される場合、コンプレッサ４ａが作動していない、すなわち吸気流量が小さいので、パージガスが過剰にエンジン吸気系２に供給されないように、パージ制御弁１１の弁開度を小さく設定する。パージガスの流量は、キャニスタ９から生じるパージガスの濃度及びエンジン吸気系２内の圧力、具体的には負圧状態から求めることができる。キャニスタ９から生じるパージガス濃度は、前述のように、例えば排ガス中の空燃比をフィードバックして補正学習している。その他の制御因子を考慮してもよい。パージ制御弁１１の弁開度は、周知のように、例えば０％近傍又は１００％近傍といった特定の無効領域を除き、デューティ比に略比例する。以下では、パージガスがエンジン側経路１０ａを通ってエンジン吸気系２に供給されていると判定される場合のパージ制御弁１１のデューティ比をエンジン側経路用デューティ比とし、パージガスがコンプレッサ側経路１０ｂを通ってエンジン吸気系２に供給されていると判定される場合のパージ制御弁１１のデューティ比をコンプレッサ側経路用デューティ比とする。
【００２６】
また、前述のように、エンジン吸気系２にパージガスが供給されている間は、インジェクタ６から噴射する燃料噴射量を、所定の割合で低減（補正）する。この実施の形態では、この燃料噴射量の低減量を燃料噴射量補正係数で制御する。具体的には、例えば、エンジン１の負荷状態、すなわちスロットル開度やエンジン回転数に応じた燃料噴射量基準値に燃料噴射量補正係数を乗じて燃料噴射量指令値とする。実際の燃料噴射量は、更に、上記空燃比センサ２７で検出された排ガス中の空燃比でフィードバック補正される。なお、次段に詳述するように、燃料噴射量の低減（補正）は、排ガス中の空燃比を所定値（ストイキ）に維持するためには、キャニスタパージ制御開始からパージガスが実際に燃焼室５に供給されるまでの時間、すなわち応答遅れを考慮して行うのが望ましい。
【００２７】
この燃料噴射量補正係数は、例えば、図２に示す制御マップに従って設定される。各制御マップの横軸は、キャニスタパージ制御開始からの経過時間である。図２（Ａ）と図２（Ｂ）では、補正係数が１から減少するまでの設定経過時間が異なる。前述のように、パージガスが通るエンジン側経路１０ａとコンプレッサ側経路１０ｂでは、パージガスの供給経路長が異なる。一般に、エンジン側経路１０ａの方がコンプレッサ側経路１０ｂよりもパージガスの供給経路長が小さい。パージガスの供給経路長の違いは、キャニスタパージ制御開始から、実際にパージガスが燃焼室５に供給されて燃焼するまでの時間差であり、すなわち燃料噴射量低減（補正）制御の応答遅れの差になる。したがって、図２（Ａ）は、パージガスがエンジン側経路１０ａを通る場合の燃料噴射量補正係数であり、図２（Ｂ）は、パージガスがコンプレッサ側経路１０ｂを通る場合の燃料噴射量補正係数である。以下では、図２（Ａ）の応答遅れをエンジン側経路用応答遅れとし、図２（Ｂ）の応答遅れをコンプレッサ側経路用応答遅れとする。
【００２８】
パージガスが何れの供給経路を通るかは、各供給経路が接続されているエンジン吸気系２内の圧力を検出することで判定することができる。すなわち、何れかエンジン吸気系２内の圧力の小さい方にパージガスは供給される。そのため、スロットルバルブ１４よりも吸気下流側でエンジン側経路１０ａが接続されるインテークマニホールド７には、エンジン吸気系２内の圧力を測定して検出する圧力センサ２６が設けられている。この実施の形態の圧力センサ２６には、例えば、大気圧を０、大気圧よりも高圧（正圧）状態を正、低圧（負圧）状態を負の出力値として出力する相対圧（ゲージ圧）センサが用いられている。一方、この実施の形態では、コンプレッサ側経路１０ｂが接続されているコンプレッサ４ａよりも吸気上流側のエンジン吸気系２の圧力は、例えば図示しないエアフローメータで検出される吸気流量から推定して検出する。以下では、スロットルバルブ１４よりも吸気下流側、すなわちコンプレッサ４ａよりも吸気下流側のエンジン吸気系２内の圧力をインテークマニホールド内圧とし、コンプレッサ４ａよりも吸気上流側のエンジン吸気系２内の圧力をコンプレッサ前圧とする。更に、後述のように、これらのエンジン吸気系２内の圧力は、それぞれの補正量で補正されてパージガスの供給経路判定に用いられるので、圧力センサ２６で測定されたインテークマニホールド内圧をインテークマニホールド内デフォルト圧とし、吸気流量から推定されたコンプレッサ前圧をコンプレッサ前デフォルト圧とする。なお、コンプレッサ前デフォルト圧の推定検出は、図示しない演算処理に従って、エンジンコントロールユニット１３内で随時行われる。また、双方のエンジン吸気系２内の圧力をセンサで測定して検出するようにしてもよいし、逆に双方とも推定して検出するようにしてもよい。
【００２９】
車両には、上記エンジンコントロールユニット１３を始めとする種々のコントロールユニットが搭載されている。これらのコントロールユニットは、何れも、マイクロコンピュータのようなコンピュータシステムを搭載して構成される。これらのコンピュータシステムは、周知のコンピュータシステムと同様に、高度な演算処理機能を有する演算処理装置に加え、例えばプログラムを記憶する記憶装置や、センサ信号を読込んだり、他のコントロールユニットと相互通信を行ったりするための入出力装置を備えて構成される。なお、この実施の形態のエンジンコントロールユニット１３は、複数の処理（タスク）を並行して実行可能なコンピュータシステムを搭載している。
【００３０】
図３は、キャニスタパージ制御を行うために、エンジンコントロールユニット１３で実行される演算処理の一例を示すフローチャートである。なお、燃料噴射量制御は、図示以外の別の処理で行われる。この演算処理は、例えばエンジン冷却液の温度がエンジン１の暖機完了後の温度相当であるといったキャニスタパージ制御条件成立で開始され、まずステップＳ１で、上記インテークマニホールド内デフォルト圧ＰＩ０及びコンプレッサ前デフォルト圧ＰＣ０を読込む。
【００３１】
次にステップＳ２に移行して、ステップＳ１で読込まれたインテークマニホールド内デフォルト圧ＰＩ０に後述するインテークマニホールド圧用補正量ΔＰＩを加えてインテークマニホールド内圧ＰＩを算出する。
【００３２】
次にステップＳ３に移行して、ステップＳ１で読込まれたコンプレッサ前デフォルト圧ＰＣ０に後述するコンプレッサ圧用補正量ΔＰＣを加えてコンプレッサ前圧ＰＣを算出する。
【００３３】
次にステップＳ４に移行して、ステップＳ２で算出されたインテークマニホールド内圧ＰＩがステップＳ３で算出されたコンプレッサ前圧ＰＣより小さいか否かを判定し、インテークマニホールド内圧ＰＩがコンプレッサ前圧ＰＣより小さい場合にはステップＳ５に移行し、そうでない場合にはステップＳ１１に移行する。
【００３４】
上記ステップＳ５では、図示しない個別の演算処理を起動して、上記エンジン側経路用デューティ比でのパージ制御弁１１の開弁制御を開始する。
【００３５】
次にステップＳ６に移行して、上記エンジン側経路用応答遅れを伴う燃料噴射量補正係数（マップ）を選択し、それを個別の燃料噴射制御のための演算処理に指示する。
【００３６】
次にステップＳ７に移行して、上記エンジン側経路用応答遅れを伴う燃料噴射量補正係数（マップ）による燃料噴射量補正後に上記空燃比センサ２７で検出される空燃比を例えば所定サンプリング周期毎に読込んで記憶する。
【００３７】
次にステップＳ８に移行して、上記ステップＳ７で読込み・記憶した燃料噴射量補正後の空燃比のリーン側変化量が所定値以上且つ所定時間以上、すなわち所定量以上であるか否かを判定し、空燃比のリーン側変化量が所定量以上である場合にはステップＳ９に移行し、そうでない場合には演算処理を終了する。
【００３８】
ステップＳ９では、インテークマニホールド圧用補正量ΔＰＩを所定値ΔＰＩ０だけ増大補正する。
【００３９】
次にステップＳ１０に移行して、図示しない個別の演算処理を起動して、現在行われている上記エンジン側経路用デューティ比でのパージ制御弁１１の開弁制御を上記コンプレッサ側経路用デューティ比でのパージ制御弁１１の開弁制御に変更してから演算処理を終了する。
【００４０】
一方、上記ステップＳ１１では、図示しない個別の演算処理を起動して、上記コンプレッサ側経路用デューティ比でのパージ制御弁１１の開弁制御を開始する。
【００４１】
次にステップＳ１２に移行して、上記コンプレッサ側経路用応答遅れを伴う燃料噴射量補正係数（マップ）を選択し、それを個別の燃料噴射制御のための演算処理に指示する。
【００４２】
次にステップＳ１３に移行して、上記コンプレッサ側経路用応答遅れを伴う燃料噴射量補正係数（マップ）による燃料噴射量補正前に上記空燃比センサ２７で検出される空燃比を例えば所定サンプリング周期毎に読込んで記憶する。
【００４３】
次にステップＳ１４に移行して、上記ステップＳ１３で読込み・記憶した燃料噴射量補正前の空燃比のリッチ側変化量が所定値以上且つ所定時間以上、すなわち所定量以上であるか否かを判定し、空燃比のリッチ側変化量が所定量以上である場合にはステップＳ１５に移行し、そうでない場合には演算処理を終了する。
【００４４】
ステップＳ１５では、コンプレッサ圧用補正量ΔＰＣを所定値ΔＰＣ０だけ増大補正する。
【００４５】
次にステップＳ１６に移行して、図示しない個別の演算処理を起動して、現在行われている上記コンプレッサ側経路用デューティ比でのパージ制御弁１１の開弁制御を上記エンジン側経路用デューティ比でのパージ制御弁１１の開弁制御に変更してから演算処理を終了する。
【００４６】
この演算処理によれば、インテークマニホールド内デフォルト圧ＰＩ０にインテークマニホールド圧用補正量ΔＰＩを加えてインテークマニホールド内圧ＰＩを算出すると共に、コンプレッサ前デフォルト圧ＰＣ０にコンプレッサ圧用補正量ΔＰＣを加えてコンプレッサ前圧ＰＣを算出し、インテークマニホールド内圧ＰＩとコンプレッサ前圧ＰＣの何れが小さいかを判定する。その結果、インテークマニホールド内圧ＰＩがコンプレッサ前圧ＰＣより小さい場合にはエンジン側経路用デューティ比を用いてパージ制御弁１１の開弁制御を開始すると共に、エンジン側経路用応答遅れを伴う燃料噴射量補正係数（制御マップ）を選択し、燃料噴射量制御の演算処理に指示する。すなわち、演算処理ステップとしては明示していないが、この場合には、パージガスはエンジン側経路１０ａを通ってエンジン吸気系２に供給されていると判定している。しかしながら、このパージ制御中、燃料噴射量の補正後の排ガス中の空燃比のリーン側への変化量が所定量以上である場合には、後述するように、実際にはパージガスはコンプレッサ側経路１０ｂを通ってエンジン吸気系２に供給されていると考えられる。そこで、上記パージガスの供給経路を判定するためのインテークマニホールド圧用補正量ΔＰＩを所定値ΔＰＩ０だけ増加補正する。したがって、これ以後、インテークマニホールド内圧ＰＩは所定値ΔＰＩ０だけ大きくなることから、パージガスの供給経路がエンジン側経路１０ａであるとは判定されにくくなる。すなわち、エンジン側経路用応答遅れを伴う燃料噴射量補正係数（制御マップ）が選択されにくくなるように、インテークマニホールド内圧ＰＩを補正学習する。また、パージガスの供給経路をエンジン側経路１０ａと誤判定した場合には、パージ制御弁１１の開弁制御のデューティ比をコンプレッサ側経路用デューティ比に変更する。
【００４７】
一方、コンプレッサ前圧ＰＣがインテークマニホールド内圧ＰＩより小さい場合にはコンプレッサ側経路用デューティ比を用いてパージ制御弁１１の開弁制御を開始すると共に、コンプレッサ側経路用応答遅れを伴う燃料噴射量補正係数（制御マップ）を選択し、燃料噴射量制御の演算処理に指示する。すなわち、演算処理ステップとしては明示していないが、この場合には、パージガスはコンプレッサ側経路１０ｂを通ってエンジン吸気系２に供給されていると判定している。しかしながら、このパージ制御中、燃料噴射量の補正前の排ガス中の空燃比のリッチ側への変化量が所定量以上である場合には、後述するように、実際にはパージガスはエンジン側経路１０ａを通ってエンジン吸気系２に供給されていると考えられる。そこで、上記パージガスの供給経路を判定するためのコンプレッサ圧用補正量ΔＰＣを所定値ΔＰＣ０だけ増加補正する。したがって、これ以後、コンプレッサ前圧ＰＣは所定値ΔＰＣ０だけ大きくなることから、パージガスの供給経路がコンプレッサ側経路１０ｂであるとは判定されにくくなる。すなわち、コンプレッサ側経路用応答遅れを伴う燃料噴射量補正係数（制御マップ）が選択されにくくなるように、コンプレッサ前圧ＰＣを補正学習する。また、パージガスの供給経路をコンプレッサ側経路１０ｂと誤判定した場合には、パージ制御弁１１の開弁制御のデューティ比をエンジン側経路用デューティ比に変更する。
【００４８】
図４は、実際にはパージガスがコンプレッサ側経路１０ｂを通ってエンジン吸気系２に供給されているのに、エンジン側経路１０ａを通ってエンジン吸気系２に供給されていると誤判定した場合の空燃比のタイミングチャートである。パージガスの供給経路をエンジン側経路１０ａであると判定した（判定するステップそのものはない）場合は、図２（Ａ）に示すように、燃料噴射量補正係数の応答遅れが小さい。しかし、実際にはパージガスは供給経路の長いコンプレッサ側経路１０ｂを通って供給されるので、燃料噴射量補正係数が低減された後、すなわち燃料噴射量が低減された後に燃焼室５に到達する。その結果、燃料噴射量が低減されてから実際にパージガスが燃焼室５に流れ込むまでの間、排ガス中の空燃比はリーン（図では薄）側に変化する。この排ガス中の空燃比のリーン側への変化に応じて、インジェクタ６からの燃料噴射量制御では、空燃比のリーンが是正されるように燃料噴射量を増大補正する。然る後に、パージガスが燃焼室５に到達すると、例えば、今度は排ガス中の空燃比がリッチ（図では濃）側に変化してしまう。したがって、この間、排ガス中の空燃比は、過渡的にストイキに維持できない。
【００４９】
図５は、実際にはパージガスがエンジン側経路１０ａを通ってエンジン吸気系２に供給されているのに、コンプレッサ側経路１０ｂを通ってエンジン吸気系２に供給されていると誤判定した場合の空燃比のタイミングチャートである。パージガスの供給経路をコンプレッサ側経路１０ｂであると判定した（判定するステップそのものはない）場合は、図２（Ｂ）に示すように、燃料噴射量補正係数の応答遅れが大きい。しかし、実際にはパージガスは供給経路の短いコンプレッサ側経路１０ｂを通って供給されるので、燃料噴射量補正係数が低減される前、すなわち燃料噴射量が低減される前に燃焼室５に到達する。その結果、実際にパージガスが燃焼室５に流れ込んでから燃料噴射量が低減されるまでの間、排ガス中の空燃比はリッチ（図では濃）側に変化する。この排ガス中の空燃比のリッチ側への変化に応じて、インジェクタ６からの燃料噴射量制御では、空燃比のリッチが是正されるように燃料噴射量を減少補正する。然る後に、燃料噴射量が低減されると、例えば、今度は排ガス中の空燃比がリーン（図では薄）側に変化してしまう。したがって、この間、排ガス中の空燃比は、過渡的にストイキに維持できない。
【００５０】
図３の演算処理では、燃料噴射量補正後の空燃比のリーン側変化量が所定量以上になるたびに、インテークマニホールド内圧ＰＩを所定値ΔＰＩ０ずつ大きくしていくことで、パージガス供給経路の判定に用いられるインテークマニホールド内圧を是正してパージガス供給経路を誤判定されにくくし、結果として排ガス中の空燃比を所定値に維持することを可能とする。同様に、燃料噴射量補正前の空燃比のリッチ側変化量が所定量以上になるたびに、コンプレッサ前圧ＰＣを所定値ΔＰＣ０ずつ大きくしていくことで、パージガス供給経路の判定に用いられるコンプレッサ前圧を是正してパージガス供給経路を誤判定されにくくし、結果として排ガス中の空燃比を所定値に維持することを可能とする。また、パージ制御弁１１の弁開度、すなわちパージガス供給流量をパージガス供給経路に応じて変更する場合には、パージガス供給経路の誤判定によって、排ガス中の空燃比の所定値からの乖離が大きくなってしまうおそれもあるが、このようにパージガス供給経路の誤判定を回避することによって、パージガス供給流量も適正なものとすることができる。更には、前述のように、キャニスタ９から発生するパージガス濃度を排ガス中の空燃比から補正学習する場合にも、パージガス供給経路の誤判定を回避することによって、パージガス濃度を適正な値に維持することができる。
【００５１】
このように、この実施の形態のキャニスタパージ制御装置では、エンジン側経路１０ａに応じた燃料噴射量補正係数（低減量）の応答遅れとコンプレッサ側経路１０ｂに応じた燃料噴射量補正係数（低減量）の応答遅れが異なる場合に、エンジンコントロールユニット１３で推定検出されたインテークマニホールド内圧と圧力センサ２６で測定検出されたコンプレッサ前圧に基づいて燃料噴射量補正係数が誤って選択されると、燃料噴射量の補正前後に検出された排ガス中の空燃比がリーン側又はリッチ側に所定量以上異なる。そこで、それぞれの場合に応じて、燃料噴射量補正係数の選択に用いられるエンジン吸気系２内の圧力を、燃料噴射量補正係数が選択されないように補正学習することで、排ガス中の空燃比の所定値からの乖離を次第に小さくすることが可能となり、結果的には、排ガス中の空燃比が所定値から乖離するのを抑制することができる。
【００５２】
また、ターボチャージャ４のコンプレッサ４ａよりも吸気下流側のエンジン吸気系２として、インテークマニホールド７にパージガスを供給するエンジン側経路１０ａは、コンプレッサ４ａよりも吸気上流側にパージガスを供給するコンプレッサ側経路１０ｂよりもパージガスの供給経路長が小さく、エンジン側経路１０ａに応じた燃料噴射量補正係数の応答遅れも小さく設定される。このエンジン側経路１０ａに応じた燃料噴射量補正係数が選択され且つその燃料噴射量補正係数を伴う燃料噴射量の補正後の空燃比がリーン側に大きく変化する場合、実際のパージガスはコンプレッサ側経路１０ｂを通ってエンジン吸気系２に供給されていると判断される。そこで、エンジン側経路１０ａに応じた燃料噴射量補正係数が選択されないように、圧力センサ２６で測定検出されるインテークマニホールド内圧が所定値だけ大きくなるように補正学習を行うことで、排ガス中の空燃比が所定値から乖離するのを正確に抑制することができる。
【００５３】
また、ターボチャージャ４のコンプレッサ４ａよりも吸気上流側でエンジン吸気系２にパージガスを供給するコンプレッサ側経路１０ｂは、コンプレッサ４ａの吸気下流側として、インテークマニホールド７にパージガスを供給するエンジン側経路１０ａよりもパージガスの供給経路長が大きく、コンプレッサ側経路１０ｂに応じた燃料噴射量補正係数の応答遅れも大きく設定される。このコンプレッサ側経路１０ｂに応じた燃料噴射量補正係数が選択され且つその燃料噴射量補正係数を伴う燃料噴射量の補正前の空燃比がリッチ側に大きく変化する場合、実際のパージガスはエンジン側経路１０ａを通ってエンジン吸気系２に供給されていると判断される。そこで、コンプレッサ側経路１０ｂに応じた燃料噴射量補正係数が選択されないように、エンジンコントロールユニット１３で推定検出されるコンプレッサ前圧が所定値だけ大きくなるように補正学習を行うことで、排ガス中の空燃比が所定値から乖離するのを正確に抑制することができる。
【００５４】
また、圧力センサ２６で測定検出されたインテークマニホールド内圧及びエンジンコントロールユニット１３で推定検出されたコンプレッサ前圧の何れか小さい方のエンジン側経路１０ａに応じた弁開度又はコンプレッサ側経路１０ｂに応じた弁開度が選択され、その選択された弁開度が達成されるようにパージ制御弁１１が開弁制御される。その際、前述のように、応答遅れの異なる供給経路を通ってパージガスがエンジン吸気系２に供給された場合、燃料噴射量補正前後の排ガス中の空燃比がリーン側又はリッチ側に大きく変化する。そこで、それぞれの場合に応じて、選択された経路の弁開度と異なる経路の弁回路に変更し、その変更された弁開度でパージ制御弁１１を開弁制御することで、排ガス中の空燃比が所定値から乖離するのを抑制することができる。
【００５５】
以上、実施の形態に係るキャニスタパージ制御装置について説明したが、本件発明は、上記実施の形態で述べた構成に限定されるものではなく、本件発明の要旨の範囲内で種々変更が可能である。例えば、上記実施の形態では、誤判定されたパージガスの供給経路を選択されにくくするために、検出された２か所のエンジン吸気系内の圧力の何れか小さい方を所定値だけ大きく補正学習したが、同じ目的で、検出された２か所の検出された２か所のエンジン吸気系内の圧力の何れか大きい方を所定値だけ小さく補正学習してもよい。
【００５６】
また、上記実施の形態では、燃料噴射量補正の前に排ガス中の空燃比がリッチ側に変化した場合と燃料噴射量補正の後に排ガス中の空燃比がリーン側に変化した場合の双方で、検出された２か所のエンジン吸気系内の圧力を補正学習したが、何れか一方の場合のみで該当するエンジン吸気系の圧力のみを補正学習するようにしても、本件発明の目的は達成可能である。
【００５７】
また、キャニスタパージ制御中の燃料噴射量の低減補正は、燃料噴射量補正係数に代えて、燃料噴射量の低減量を数値的に決定して行うようにしてもよい。
【符号の説明】
【００５８】
１  エンジン
２  エンジン吸気系
４  ターボチャージャ
４ａ  コンプレッサ
５  燃焼室
６  インジェクタ（燃料噴射装置）
８  燃料タンク
９  キャニスタ
１０  パージガス通路
１０ａ  エンジン側経路
１０ｂ  コンプレッサ側経路
１１  パージ制御弁
１３  エンジンコントロールユニット（制御手段、コンプレッサ側吸気圧力検出手段）
２６  圧力センサ（エンジン側吸気圧力検出手段）
２７  空燃比センサ
【図１】
2020153288.tif 000003
【図２】
2020153288.tif 000004
【図３】
2020153288.tif 000005
【図４】
2020153288.tif 000006
【図５】
2020153288.tif 000007